(57)【要約】【課題】非接触電子タグ付トレイに載せられた商品の重量計測を正確に良好に行うことができる電子計測装置を提供すること。【解決手段】電子タグ１０３が装着されたトレイ１０１が載置されるトレイ置き台部２４０と、トレイ置き台部２４０に載置されたトレイ１０１の電子タグ１０３と通信するアンテナ部２３１と、トレイ１０１の重量を計測する電子はかり２２１と、アンテナ部２３１が電子タグ１０３との通信によって取得した情報と電子はかり２２１で計測した重量情報を出力する出力部２５０と、トレイ置き台部２４０と電子はかり２２１を結合し電波吸収体で構成された支柱２４１とを備えた構成により、測定中の電子タグ１０３に近接して他のトレイ１０１が置かれても、両方の電子タグ１０３を読み取ったり、また両方の電子タグ１０３を読み取らなかったりすることはない。【選択図】図２
2007333499.tif 000002
【特許請求の範囲】
【請求項１】
電子タグが装着された測定物が載置される載置台部と、前記電子タグと通信するアンテナ部と、前記測定物の重量を計測する重量計測部と、前記載置台部と前記重量計測部を結合し前記アンテナ部の外側に設けた支柱部とを備えた電子計測装置。
【請求項２】
前記支柱部が、電波吸収体あるいは電波吸収体を有する部材で構成された請求項１記載の電子計測装置。
【請求項３】
前記支柱部が板状である請求項１または２記載の電子計測装置。
【発明の詳細な説明】
【技術分野】
【０００１】
本発明は、非接触の電子タグなどが装着された容器に食料などの対象物を収め、その重量を測定する電子計測装置に関する。
【背景技術】
【０００２】
食堂などで用いる食品の重量の計測装置は、例えば特許文献１に記載されたように、料理を、電子タグを装着した皿に盛り付け、料理の名前や、その料理の単位重量あたりの価格などをこの電子タグに記録しておき、皿を含む重量を計測して、計測した重量と電子タグに書き込まれた料理の単位重量あたりの価格から料理の金額を演算処理する。
【０００３】
このような電子計測装置は、電子タグが装着された容器を載せる載皿台と、載皿台の下方に設置された電子タグ読み取り用のアンテナ部と、載皿台に載せられた容器を計測して料理の重量を算出表示する計測部本体とから構成される。
【０００４】
特許文献１に記載された従来の電子計測装置は、アンテナ部は平面体であって、この平面体に開口部を設け、上端部に載皿台が設けられた支柱をアンテナ部に設けた開口部に貫通させ、下端部に重量センサを設けて計測部本体に結合させた構造を有している。
【０００５】
このような電子計測装置は、載皿台に載せられた容器の重量を重量センサで計測する一方で、アンテナ部によって電子タグに記憶された単価を読み取り、重量と単価から容器内の料理の金額を計測部本体で演算し、演算結果の金額を再度アンテナ部から電子タグに書き込んでいる。
【０００６】
したがって、この計測後の金額が書き込まれた電子タグを装着した容器を、例えば電子精算システムに適用すれば、人手がなくても量り売りの料理なども無人で精算できる。
【特許文献１】特開２００５−３０８６０３号公報
【発明の開示】
【発明が解決しようとする課題】
【０００７】
しかしながら、このような電子計測装置では、特定の料理で、あるいは精算レーンで行列ができた場合には、現在計測しようとしている皿の近くに他の人が別の皿を置くことも考えられる。すなわち本来読み取るべき電子タグが装着された皿の近くに、読み取るべきではない他の電子タグが装着された皿が置かれることになり、他の皿の電子タグにも反応し両方を読み取ってしまうか、あるいは互いに干渉しあって、両方とも読み取れないことがあった。
【０００８】
この問題の解決策として、アンテナ部での電子タグの読み取り感度を下げて、隣接した電子タグを読み取らないようにする方法が考えられるが、容器が載皿台に置かれる位置によっては、感度が悪くなって、本来読み取るべき電子タグから情報を良好に読み取れないことがあった。
【０００９】
本発明は、このような従来の課題を解決するものであり、アンテナ部の感度を確保しつつ、隣接した電子タグに対しては読み取り感度を下げ、本来読み取るべき対象の電子タグには十分な感度を有し、電子タグからの情報を良好に読み取ることのできる電子計測装置を提供することを目的とするものである。
【課題を解決するための手段】
【００１０】
本発明の電子計測装置は、電子タグが装着された測定物が載置される載置台部と、電子タグと通信するアンテナ部と、測定物の重量を計測する重量計測部と、載置台部と重量計測部を結合しアンテナ部の外側に設けた支柱部とを備えた構成を有する。
【００１１】
この構成により、アンテナ部の外側に支柱を設けることで、アンテナ部と本来読み取るべき電子タグとの間に支柱部が遮蔽物として位置しないことから、アンテナ部の読み取り感度を落とすことはない。
【００１２】
また、本発明の電子計測装置は、支柱部が、電波吸収体であるいは電波吸収体を有する部材で構成されている。
【００１３】
この構成により、支柱部が電波吸収体の役目を兼ねることで、アンテナ部とその上部に位置する、本来読み取るべき電子タグに対しては、読み取り感度を保ち、隣接する電子タグとの干渉を低減することが可能となる。
【００１４】
また、本発明の電子計測装置は、支柱部が板状である構成を有する。
【００１５】
この構成により、本来読み取るべき電子タグへ電波干渉する隣接する電子タグと、アンテナ部との間に、広範囲に支柱部が位置することになり、電波吸収の度合いを高め、したがって隣接する電子タグからの干渉を効果的に抑えることができる。
【発明の効果】
【００１６】
本発明の電子計測装置は、アンテナ部の外側に支柱を設けることで、アンテナ部の読み取り感度を落とすことはなく、載置台部を支持する支柱部を電波吸収体で構成することにより、隣接した電子タグとの干渉を低減し、目的とする電子タグに対して十分なアンテナ部の感度を有するため、目的とする電子タグからの情報を良好に読み取ることができる。
【発明を実施するための最良の形態】
【００１７】
以下、本発明の実施の形態について、図面を用いて説明する。
【００１８】
（実施の形態１）
図１は、本発明の実施の形態１における電子計測装置を示す模式図である。
【００１９】
図１において、本実施の形態の電子計測装置は、量り売り対応端末機２００であって、この量り売り対応端末機２００と、電子タグ１０３を有する電子タグ付トレイ１００と、ＰＯＳ端末機３００とで計測システムが構成されている。
【００２０】
本実施の形態の電子タグ付トレイ１００は、異なる商品を区分して盛り合わせできるように仕切り１０２を有する強化磁器やプラスチックなどで成型されたトレイ１０１と、トレイ１０１の裏面中央部に貼付または埋設された非接触で通信を行なう電子タグ１０３よりなる。トレイ１０１に設けた仕切り１０２により単位当たりの価格を同一とした商品を取り分けて、まとめて精算するものである。
【００２１】
量り売り対応端末機２００は、筐体２１０と、重量計測部２２０と、電子タグ１０３との間で通信を行うリーダライタ部２３０と、載置台部であるトレイ置き台部２４０と、重量計測部２２０で計測された重量情報および電子タグ１０３との通信により取得した情報を出力する出力部２５０とで構成される。重量計測部２２０とリーダライタ部２３０は筐体２１０内に格納され、筐体２１０の上部に、重量計測部２２０にはトレイ置き台部２４０が位置している。
【００２２】
ＰＯＳ端末機３００は、量り売り対応端末機２００における出力部２５０から伝送される、重量情報および電子タグ１０３との通信で取得した情報に基づいて、演算制御を行い商品重量、商品料金、商品情報などの表示や商品料金の精算や販売履歴の記録などを行う。
【００２３】
図２（ａ）、（ｂ）は、本発明の実施の形態１における量り売り対応端末機２００の構成を示す正面断面図および平面図である。
【００２４】
図２（ａ）、（ｂ）において、図１と同じ構成については同一符号を付している。
【００２５】
図２（ａ）に示すように、筐体２１０の一つの側面には、図１に示す重量計測部２２０の主要部である電子はかり２２１を出し入れする開口部２１１が形成されている。
【００２６】
筐体２１０の底面には複数の開口が設けられており、この開口に電子はかり２２１の脚２２２が嵌合し、筐体２１０と電子はかり２２１の位置決めがなされている。
【００２７】
また、筐体２１０の底面の下側には、高さ調整可能な複数の調整脚２１２が設けられており、筐体２１０の指定位置に電子はかり２２１を装着した状態で、電子はかり２２１に装備された水平表示器（図示せず）の状態を、筐体２１０上面に設けられた、図２（ｂ）に示す、水平確認窓２１３より透視しながら、調整脚２１２により電子はかり２２１の水平調整を行うことができる。
【００２８】
図１に示した重量計測部２２０は、電子はかり２２１と、電源コード２２３と、被測定物を載せる秤量皿２２５と、秤量皿２２５の上面に固着された吸着部材２２６とで構成される。
【００２９】
図１に示したリーダライタ部２３０は、リーダライタ部２３０の主要部であるアンテナ部２３１と、アンテナ制御部２３２とで構成されている。またアンテナ部２３１とアンテナ制御部２３２とは筐体２１０内面に形成された信号ケーブル（図中では点線で図示）で接続されている。また、リーダライタ部２３０には電源から電力が供給されている（図示せず）。
【００３０】
アンテナ部２３１は、電子タグ付トレイ１００に設けられた電子タグ１０３の記憶部に情報の書き込み、または電子タグ１０３の記憶部の情報を読み出す（通信する）送受信部である。このアンテナ部２３１は、非金属製のトレイ置き台部（載置台部）２４０の下面に設けられた電波吸収体で構成した支柱２４１の内側で、かつトレイ置き台部２４０の下面の下方で、かつ電子はかり２２１の秤量皿２２５の上方に位置する場所で筐体２１０の上方部に取り付けられている。支柱２４１は、金属粒子、炭素粒子を含有する樹脂、あるいはフェライトで作成された電波吸収体で構成しても良いし、表面にシート状の電波吸収体を貼ってもよい。
【００３１】
アンテナ制御部２３２は、電子タグ１０３との情報の書き込みおよび読み出しの際にアンテナ部２３１を制御するもので、筐体２１０の側面内側に取り付けられている。
【００３２】
載置台部であるトレイ置き台部２４０は、上記のように支柱２４１が下面に形成されており、電子タグ１０３とアンテナ部２３１との通信を確保するために非金属製材料から構成されている。トレイ置き台部２４０は、筐体２１０およびアンテナ部２３１とはそれぞれ非接触の状態で、支柱２４１を介して電子はかり２２１の秤量皿２２５に搭載されるため、トレイ置き台部２４０に置かれた商品が載せられた電子タグ付トレイ１００の重量とトレイ置き台部２４０の自重量とが加算されて電子はかり２２１で計測される。
【００３３】
出力部２５０は、インターフェイスケーブル２５１と、インターフェイスケーブル２５２とで構成されている。インターフェイスケーブル２５１は、アンテナ部２３１とアンテナ制御部２３２による通信機能により、電子タグ付トレイ１００に設けた電子タグ１０３の記憶部への書き込み情報または電子タグ１０３の記憶部からの読み出し情報を、信号として図１に示したＰＯＳ端末機３００に伝送するもので、筐体２１０の外部に導出されている。インターフェイスケーブル２５２は、電子はかり２２１で計測した重量情報を信号としてＰＯＳ端末機３００に伝送するもので、同様に、筐体２１０の外部に導出されている。
【００３４】
なお、本実施の形態では、出力部２５０を構成するインターフェイスケーブル２５１，２５２が、直接筐体２１０の外部に導出されているが、出力部２５０を、量り売り対応端末機２００の内部と外部とで別々のケーブルとし、内部と外部の境界部分をコネクタで結合する構成としてもよいことは言うまでもない。
【００３５】
図３（ａ）、（ｂ）は、本実施の形態における量り売り対応端末機２００の電子はかり２２１とトレイ置き台部２４０との関係を示す斜視図および支柱２４１の取り付け部を示す図である。
【００３６】
図３（ａ）、（ｂ）において、図１と同じ構成については同一符号を付している。
【００３７】
図３（ａ）、（ｂ）に示すように、電子はかり２２１の秤量皿２２５の上面には、搭載されるトレイ置き台部２４０の下面に設けられた、トレイ置き台部２４０を支持する支柱２４１に対応する位置に、ゴムなどの弾力性を有す吸着部材２２６が固着されている。トレイ置き台部２４０の支柱２４１は先端が先細形状に形成されており、この支柱２４１の先端が吸着部材２２６に垂直方向より差し込み自在の構成となっており、トレイ置き台部２４０の支柱２４１を吸着部材２２６に差し込むことによって、電子はかり２２１の秤量皿２２５とトレイ置き台部２４０は連結され位置決めがなされる。
【００３８】
なお、本実施の形態では、支柱２４１は、図２（ａ）、（ｂ）に示すように、トレイ置き台部２４０の下面にアンテナ部２３１を囲むように４本設けたが、本発明は、４本に限ることなく、４本以上でもあってもかまわない。
【００３９】
また、本実施の形態では、支柱２４１は、４本とも電波吸収体で構成しているが、近接する電子タグの位置に応じて、特に電波干渉の影響の大きい方向の支柱２４１を電波吸収体で構成し、それ以外の支柱は電波吸収体を用いない構成としてもかまわない。
【００４０】
以上のように構成された量り売り対応端末機について、図４のフローチャートを用いてその動作を説明する。
【００４１】
なお、商品単価、電子タグ付トレイ１００の重量などの情報は事前に電子タグ１０３に書き込まれているものとする。また、商品単価は商品の種類に限らず同一とする。
【００４２】
図４において、まず、利用者は、電子タグ付トレイ１００に商品を好みの量だけ入れる（Ｓ４０１）。商品が入れられた電子タグ付トレイ１００をトレイ置き台部２４０の指定位置に載せる（Ｓ４０２）。
【００４３】
次に、電子タグ付トレイ１００に設けられた電子タグ１０３の記憶部に記憶されている商品単価、電子タグ付トレイ１００の重量などのタグ情報をアンテナ部２３１で読み出して取得できたかどうかを判断する（Ｓ４０３）。
【００４４】
なお、タグ情報を読み出して取得できたかどうかの判断は、タグ情報に関する信号出力の有無をＰＯＳ端末機３００が検出することにより行う。
【００４５】
タグ情報の取得ができていない場合（ステップＳ４０３のＮＯ）は、接続されているＰＯＳ端末機３００で表示もしくは音声などで利用者に報知し、ステップＳ４０２に戻り、電子タグ付トレイ１００をトレイ置き台部２４０より一旦離して、再度、トレイ置き台部２４０の指定位置に載せる。
【００４６】
タグ情報の取得ができた場合（ステップＳ４０３のＹＥＳ）は、電子はかり２２１の秤量皿２２５に搭載されたトレイ置き台部２４０とトレイ置き台部２４０に載せられた商品の入れられた電子タグ付トレイ１００の重量計測を行い、重量情報が取得できたかどうかを判断する（Ｓ４０４）。
【００４７】
なお、重量情報が取得できたかどうかの判断は、重量情報に関する信号出力の有無をＰＯＳ端末機３００が検出することにより行う。
【００４８】
重量情報の取得ができていない場合（ステップＳ４０４のＮＯ）は、接続されているＰＯＳ端末機３００で表示もしくは音声などで利用者に報知し、ステップＳ４０２に戻り、電子タグ付トレイ１００をトレイ置き台部２４０より一旦離して、再度、トレイ置き台部２４０の所定位置に載せる。
【００４９】
重量情報の取得ができた場合（ステップＳ４０４のＹＥＳ）は、重量とタグ情報の単価から電子タグ付トレイ１００内の商品の金額を計測部本体で演算し、演算結果の金額を再度アンテナ部２３１から電子タグ１０３に書き込む。その後、接続されているＰＯＳ端末機３００で表示もしくは音声などの報知に基づき、商品の載せられた電子タグ付トレイ１００をトレイ置き台部２４０より持ち上げて離して動作を終了する（Ｓ４０５）。
【００５０】
なお、上記の説明では、タグ情報の取得判断の後に、重量情報の取得判断を行なったがこれらの判断の順番は限定されるものではない。
【００５１】
以上のように、本実施の形態の量り売り対応端末機２００によれば、トレイ置き台部２４０を支持する支柱部である支柱２４１が電波吸収体で構成されることより、電子タグ１０３とアンテナ部２３１との間の通信に干渉する、隣接する電子タグからの電波を支柱２４１が吸収することで、干渉を抑制することができ、アンテナ部２３１の感度を低下させることなく、読み取るべき電子タグ１０３からの情報を正確に良好に読み取ることができる。したがって、また、計測した重量や金額などの計測結果を電子タグ１０３に書き込む場合も、正確に書き込むことができる。
【００５２】
また本実施の形態の量り売り対応端末機２００によれば、支柱２４１の数を増やす事により、より干渉を抑制し、電子タグ１０３との情報の読み込みおよび書き込みをより正確に行うことができる。
【００５３】
また、本実施の形態の量り売り対応端末機２００によれば、トレイ置き台部２４０を支持する支柱２４１がアンテナ部２３１の外側に設けられているので、アンテナ部２３１を最大面積で活用でき、したがって、電子タグ１０３とアンテナ部２３１との間には従来のように通信の妨げになる支柱などが存在することがなく、アンテナ部２３１の感度を低下させずに電子タグ１０３からの情報を良好に読み取ることができる。したがって、また、計測した重量や金額などの計測結果を電子タグ１０３に書き込む場合も、良好にかつ正確に書き込むことができる。
【００５４】
また、本実施の形態のトレイ置き台部２４０は、その支柱２４１が吸着部材２２６により着脱自在に構成されているため、離脱して清掃が容易に可能で衛生管理上も好ましい。
【００５５】
また、アンテナ部２３１がトレイ置き台部２４０と非接触のため、トレイ置き台部２４０に置かれた、商品を収容する電子タグ付トレイ１００の重量を安定して正確に計測できる。
【００５６】
また、トレイ置き台部２４０を樹脂などの非金属製材料で形成しているため、アンテナ部２３１から送受信する電波がトレイ置き台部２４０の影響を受けることなく、電子タグ１０３の記憶部からの情報の読み出しが確実に行える。
【００５７】
さらに、電子はかり２２１は筐体２１０内部に固定金具などを使用せず装着されているため、取り出しが簡便であり、メンテナンスも容易である。
【００５８】
また、筐体２１０底部に水平調整機構としての調整脚２１２を有しているため、電子はかり２２１の感度を維持した状態で使用することができる。
【００５９】
また、アンテナ部２３１で読み出したタグ情報と、重量計測部２２０で計測した重量情報とをＰＯＳ端末機３００に出力することによって、商品重量、商品料金、商品情報などを表示し、商品料金の自動精算をすることができる。
【００６０】
（実施の形態２）
図５は、本発明の実施の形態２における量り売り対応端末機２００の電子はかり２２１とトレイ置き台部２４０との関係を示す斜視図であって、実施の形態１と同様の構成には同一の符号を付している。
【００６１】
本実施の形態が実施の形態１と異なる点は、本実施の形態では、板状の支柱５０１を、トレイ置き台部２４０の左右の辺部に設けてあり、秤量皿２２５に形成される、支柱５０１が嵌合される吸着部材５０２を、支柱５０１の形状に合わせた点である。このような構成にしても、実施の形態１と同様の効果が得られる。
【００６２】
さらに、本実施の形態では、図５に示すように板状にした支柱５０１により、干渉となる隣接する電子タグ１０３と、アンテナ部２３１との間に広範囲に電波吸収体を配置することができ、図面横方向からの他の電子タグ１０３との干渉をより効果的に排除することができる。
【００６３】
具体的な構成としては、カーボニル鉄を含有する樹脂、フェライトで支柱５０１を構成するのが好ましい。
【００６４】
（実施の形態３）
図６は、本発明の実施の形態３における量り売り対応端末機２００の電子はかり２２１とトレイ置き台部２４０との関係を示す斜視図であって、実施の形態１と同様の構成には同一の符号を付している。  
【００６５】
本実施の形態が実施の形態１と異なる点は、本実施の形態では、板状の支柱６０１を、トレイ置き台部２４０の手前以外の左右および奥の３つの各辺部に、アンテナ部２３１を囲むように設けてあり、秤量皿２２５に形成される、支柱６０１が嵌合される吸着部材６０２を、支柱６０１の形状に合わせた点である。このような構成にしても、実施の形態１と同様の効果が得られる。
【００６６】
さらに本実施の形態では、図６に示すように、アンテナ部２３１を囲むように形成された支柱６０１とそれと嵌合する吸着部材６０２とにより、さらに効果的に他の電子タグ１０３の影響を低減できる。さらに外部からのノイズの低減効果も期待できる。この結果、ノイズの影響が低減した分だけアンテナ部２３１からの放射電波を弱くすることが可能になり、さらに他の電子タグ１０３の影響を低減することが可能になる。
【００６７】
なお、図６では３方向に支柱を構成しているが、アンテナ部２３１の支持部を残し、４方向に電波吸収体の支柱を配すればさらに効果的であることは言うまでもない。
【産業上の利用可能性】
【００６８】
以上のように、本発明は載置台部と重量計測部とを結合する支柱部を電波吸収体とすることにより、隣接する他の電子タグからの干渉を抑えることができるので、社員食堂やレストランなどの量り売り商品の量り売り対応可能な電子計測装置として有用である。
【図面の簡単な説明】
【００６９】
【図１】本発明の実施の形態１における電子計測装置を示す模式図
【図２】（ａ）本発明の実施の形態１における電子計測装置の構成を示す正面断面図（ｂ）同平面図
【図３】（ａ）本発明の実施の形態１における電子計測装置の重量計測部とトレイ置き台部との関係を示す斜視図（ｂ）同支柱取り付け部を示す部分断面図
【図４】本発明の実施の形態１における電子計測装置の動作を示すフローチャート
【図５】本発明の実施の形態２における電子計測装置の重量計測部とトレイ置き台部との関係を示す斜視図
【図６】本発明の実施の形態３における電子計測装置の重量計測部とトレイ置き台部との関係を示す斜視図
【符号の説明】
【００７０】
１００    電子タグ付トレイ
１０１    トレイ
１０２    仕切り
１０３    電子タグ
２００    量り売り対応端末機
２１０    筐体
２１１    開口部
２１２    調整脚
２１３    水平確認窓
２２０    重量計測部
２２１    電子はかり
２２２    脚
２２３    電源コード
２２５    秤量皿
２２６，５０２，６０２    吸着部材
２３０    リーダライタ部
２３１    アンテナ部
２３２    アンテナ制御部
２４０    トレイ置き台部
２４１，５０１，６０１    支柱
２５０    出力部
２５１，２５２    インターフェイスケーブル
３００    ＰＯＳ端末機
【図１】
2007333499.tif 000003
【図２】
2007333499.tif 000004
【図３】
2007333499.tif 000005
【図４】
2007333499.tif 000006
【図５】
2007333499.tif 000007
【図６】
2007333499.tif 000008